(57)【特許請求の範囲】
【請求項１】
レセプタクルコネクタと該レセプタクルコネクタに着脱自在に嵌合されるプラグコネクタとからなる電気コネクタにおいて、
前記プラグコネクタは、互いに反対側となる２つの面にそれぞれ接点が配置されている接点配置面を有し、
前記レセプタクルコネクタは、
前記プラグコネクタを挿入可能な開口部と、
前記開口部内で前記プラグコネクタの挿入方向と略直交する方向に進退自在に設けられ、前記プラグコネクタの挿入時に前記プラグコネクタの外周面に接触して液体分を払拭するワイパ部材と、
前記ワイパ部材の基部側に係合され、前記ワイパ部材を前記プラグコネクタの外周面に向けて付勢する弾性部材とを備え、
前記ワイパ部材は、前記コネクタプラグの各接点配置面に対向してそれぞれ備えられ、前記接点配置面には、前記ワイパ部材によって払拭された液体分が一方の面から他方の面に移動することを防止する段部が形成されている
ことを特徴とする電気コネクタ。
【請求項２】
レセプタクルコネクタと該レセプタクルコネクタに着脱自在に嵌合されるプラグコネクタとからなる電気コネクタにおいて、
前記プラグコネクタは、互いに反対側となる２つの面にそれぞれ接点が配置されている接点配置面を有し、
前記レセプタクルコネクタは、
前記プラグコネクタを挿入可能な開口部と、
前記開口部内で前記プラグコネクタの挿入方向と略直交する方向に進退自在に設けられ、前記プラグコネクタの挿入時に前記プラグコネクタの外周面に接触して液体分を払拭するワイパ部材と、
前記ワイパ部材の基部側に係合され、前記ワイパ部材を前記プラグコネクタの外周面に向けて付勢する弾性部材とを備え、
前記ワイパ部材は、前記コネクタプラグの各接点配置面に対向してそれぞれ備えられ、前記接点配置面の挿入方向後方には、前記ワイパ部材によって払拭された液体分を接点部近傍から逃がすための凹部が形成されている
ことを特徴とする電気コネクタ。
【請求項３】
前記レセプタクルコネクタは、
前記プラグコネクタの挿入に応じて前記開口部を開閉する蓋部材を有し、
前記ワイパ部材を第１のワイパとして該第１のワイパに前記プラグコネクタが当接する前に前記プラグコネクタ上の液体分を払拭する払拭部を、前記蓋部材に第２のワイパとして備えることを特徴とする請求項１又は２記載の電気コネクタ。
【請求項４】
前記ワイパ部材は、少なくとも前記接点配置面を含む領域を払拭可能に形成されていることを特徴とする請求項１又は２記載の電気コネクタ。
【発明の詳細な説明】
【技術分野】
【０００１】
本発明は、レセプタクルコネクタと該レセプタクルコネクタに嵌合されるプラグコネクタとからなる電気コネクタに関する。
【背景技術】
【０００２】
従来から、機器と機器とを接続して信号の送受を行う場合には、信号の送り側の機器にケーブル等を介して雄のプラグコネクタを設け、このプラグコネクタを、受け側の機器に設けた雌のレセプタクルコネクタに嵌合することで、互いの機器を電気的に接続するようにしている。このようなレセプタクルコネクタとプラグコネクタとからなる電気コネクタでは、コネクタの接続（嵌合）が容易且つ確実に行えることや、使用環境下での接続信頼性（接点の接触信頼性）等が求められる。
【０００３】
一般に、液体が付着する可能性のある環境下においては、接点部が濡れたまま使用すると、電位差のある接点間で電解が起きて接点に腐蝕が発生し、接点の接触信頼性が低下する可能性がある。特に、内視鏡や処置用機器等をはじめとする医用機器では、患者に触れる部分を洗滌・滅菌する必要があるため、常に液体に触れる可能性がある。
【０００４】
このため、例えば特許文献１には、レセプタクルコネクタとプラグコネクタとからなる電気コネクタに関して、コネクタのロック機構の単純化を図ると共に、コネクタに付着した液体の除去を容易とする技術が提案されている。
【特許文献１】特開２００２−１９０３５２号公報
【発明の開示】
【発明が解決しようとする課題】
【０００５】
しかしながら、特許文献１の技術は、液体の自然落下或いは液体の拭き取りの容易さを意図しており、接点部に液体が残留しないことを保証するものではない。そこで、接点の材料に、貴金属や腐蝕に強い合金、保護膜等を用いることが想到されるが、これらのものは、例えばそれが金であろうとも、腐蝕を遅らせることはできても根本的に腐蝕を防ぎ得るものではなく、そのような電気コネクタを備えることは装置全体が比較的高価になりやすいという欠点がある。
【０００６】
本発明は上記事情に鑑みてなされたもので、プラグコネクタの接点部に液体分が残留している場合にも確実に液体分を排除し、接点の接触信頼性を向上することのできる電気コネクタを提供することを目的としている。
【課題を解決するための手段】
【０００７】
上記目的を達成するため、本発明による電気コネクタは、レセプタクルコネクタと該レセプタクルコネクタに着脱自在に嵌合されるプラグコネクタとからなる電気コネクタにおいて、前記プラグコネクタは、互いに反対側となる２つの面にそれぞれ接点が配置されている接点配置面を有し、前記レセプタクルコネクタは、前記プラグコネクタを挿入可能な開口部と、前記開口部内で前記プラグコネクタの挿入方向と略直交する方向に進退自在に設けられ、前記プラグコネクタの挿入時に前記プラグコネクタの外周面に接触して液体分を払拭するワイパ部材と、前記ワイパ部材の基部側に係合され、前記ワイパ部材を前記プラグコネクタの外周面に向けて付勢する弾性部材とを備え、前記ワイパ部材は、前記コネクタプラグの各接点配置面に対向してそれぞれ備えられ、前記接点配置面には、前記ワイパ部材によって払拭された液体分が一方の面から他方の面に移動することを防止する段部が形成されていることを特徴とする。
本発明による他の電気コネクタは、レセプタクルコネクタと該レセプタクルコネクタに着脱自在に嵌合されるプラグコネクタとからなる電気コネクタにおいて、前記プラグコネクタは、互いに反対側となる２つの面にそれぞれ接点が配置されている接点配置面を有し、前記レセプタクルコネクタは、前記プラグコネクタを挿入可能な開口部と、前記開口部内で前記プラグコネクタの挿入方向と略直交する方向に進退自在に設けられ、前記プラグコネクタの挿入時に前記プラグコネクタの外周面に接触して液体分を払拭するワイパ部材と、前記ワイパ部材の基部側に係合され、前記ワイパ部材を前記プラグコネクタの外周面に向けて付勢する弾性部材とを備え、前記ワイパ部材は、前記コネクタプラグの各接点配置面に対向してそれぞれ備えられ、前記接点配置面の挿入方向後方には、前記ワイパ部材によって払拭された液体分を接点部近傍から逃がすための凹部が形成されていることを特徴とする。
【発明の効果】
【０００８】
本発明によれば、プラグコネクタの接点部に液体分が残留している場合であっても、プラグコネクタの挿入方向と略直交する方向に進退自在に設けられたワイパ部材により確実に液体分を排除することができ、接点の電解腐蝕を防止して接触信頼性を向上することができる。
【発明を実施するための最良の形態】
【０００９】
以下、図面を参照して本発明の実施の形態を説明する。図１〜図２５は本発明の実施の一形態に係り、図１は本発明が適用される内視鏡装置の全体構成図、図２はビデオプロセッサに設けたレセプタクルコネクタを正面側及び側面側から見た２面図、図３はビデオプロセッサのレセプタクルコネクタに接続される２種類のプラグコネクタを示す斜視図、図４はビデオプロセッサのレセプタクルコネクタに接続される２種類のプラグコネクタを示す平面図、図５はビデオプロセッサのレセプタクルコネクタにプラグコネクタが接続された状態を示す斜視図、図６はビデオプロセッサのレセプタクルコネクタにプラグコネクタが接続された状態を３方向から見た３面図、図７は第１のプラグコネクタの外観を示す斜視図、図８は第１のプラグコネクタの正面と左右側面と上面とを示す４面図、図９は第１のプラグコネクタの下面図、図１０は第２のプラグコネクタの外観を示す斜視図、図１１は第２のプラグコネクタの正面と左右側面と上面とを示す４面図、図１２は第２のプラグコネクタの端子保持部を示す斜視図、図１３は第２のプラグコネクタの端子保持部の接点面を示す説明図、図１４はレセプタクルコネクタの外観を示す斜視図、図１５はレセプタクルコネクタの正面と左右側面と上面とを示す４面図、図１６はレセプタクルコネクタの背面図、図１７はレセプタクルコネクタの受側接点構造を示す断面図、図１８はレセプタクルコネクタのワイパ部材を示す説明図、図１９はワイパ部材の支持構造を示す説明図、図２０は第１のプラグコネクタのレセプタクルコネクタへの接続動作を示す説明図、図２１は第１のプラグコネクタがレセプタクルコネクタに途中まで挿入された状態を示す説明図、図２２は第１のプラグコネクタがレセプタクルコネクタに嵌合された状態を示す説明図、図２３は第２のプラグコネクタのレセプタクルコネクタへの接続動作を示す説明図、図２４は第２のプラグコネクタがレセプタクルコネクタに途中まで挿入された状態を示す説明図、図２５は第２のプラグコネクタがレセプタクルコネクタに嵌合された状態を示す説明図である。
【００１０】
図１において、符号１は、本発明による電気コネクタの一適用例を示す内視鏡装置である。この内視鏡装置１は、内視鏡２と、この内視鏡２に接続されて照明光の供給や各種信号処理を行う処理装置（以下、「ビデオプロセッサ」と記載）３と、ビデオプロセッサ３から出力される信号を受けて観察部位の画像等を表示するモニタ４とを有している。
【００１１】
内視鏡２は、観察対象部位へ挿入する細長の中空状長尺部材としての挿入部５と、この挿入部５の基端部に把持部６ａを連設する操作部６と、この操作部６の側面より延設されたユニバーサルケーブル７とを有している。挿入部５は、先端側に照明系や撮像系等が内蔵される先端部８を有し、この先端部８の後部に湾曲自在な可動部としての湾曲部９が連続されている。
【００１２】
更に、湾曲部９の後部には、軟性の管状の部材より形成される長尺で可撓性を有する可撓管部１０が連設されている。又、操作部６には、湾曲部９の湾曲操作を行う湾曲操作ノブ１１ａと、この湾曲操作ノブ１１ａを所望の回転位置で固定するための固定レバー１１ｂとを有する湾曲操作部１１等が所定に配設されている。
【００１３】
尚、符号６ｂは処置具挿入口であり、挿入部５に挿通されている処置具チャンネル（図示せず）の基端に連通されている。
【００１４】
内視鏡２とビデオプロセッサ３とは、内視鏡２のユニバーサルケーブル７の端部に設けられたプラグコネクタ２０と、ビデオプロセッサ３に設けられたレセプタクルコネクタ５０とからなる電気コネクタにより、電気的に接続される。本実施の形態においては、プラグコネクタ２０及びレセプタクルコネクタ５０は平型のコネクタであり、プラグコネクタ２０をレセプタクルコネクタ５０に着脱自在に嵌合し、互いの接点を機械的に接触させることにより、電気的な接続が可能となる。
【００１５】
図２に示すように、レセプタクルコネクタ５０は、ビデオプロセッサ３の筐体の一面に、プラグコネクタ２０を挿入・嵌合するための開口部５１が露呈するように配設されている。このレセプタクルコネクタ５０には、プラグコネクタ２０を嵌合状態を保持又は解除するためのロック機構部５２が備えられ、また、開口部５１前面から若干奥まった位置に板状の蓋部材５３が配設されている。尚、ロック機構部５２は、プラグコネクタ２０をレセプタクルコネクタ５０に挿入・嵌合することでセットされ、レバー５２ａを押し込むことで解除される。
【００１６】
図２（ａ）には、ビデオプロセッサ３の筐体に配設されるレセプタクル５０を正面側から見たときのレセプタクルコネクタ５０の開口部５１が示されており、図２（ｂ）には、ビデオプロセッサ３の筐体の側面側から見たときのレセプタクルコネクタ５０のロック機構部５２のレバー５２ａを示している。
【００１７】
レセプタクルコネクタ５０に備えられる蓋部材５３は、レセプタクルコネクタ５０を使用しないとき（プラグコネクタ２０をレセプタクルコネクタ５０に挿入しないとき）、開口部５１を塞いで異物の侵入を防止する機能を担うと共に、内視鏡２の洗滌・滅菌等によりプラグコネクタ２０の接点部に水や薬液等の液体分が残留してしまった場合に対処するため、プラグコネクタ２０を開口部５１に挿入する際に接点部の残留液体（以下、代表して水分と記載する）を２段階で払拭し、接点を形成する金属部材の電解腐蝕を防止するためのワイパ機構の前段部としても作用する。このワイパ機構については後述する。
【００１８】
また、レセプタクルコネクタ５０は、図３及び図４に示すように、プラグコネクタ２０として、第１，第２のプラグコネクタ２０Ａ，２０Ｂを選択的に接続可能なマルチレセプタクル構造のコネクタとして構成されている。第１，第２のプラグコネクタ２０Ａ，２０Ｂは、互いに異なる第１，第２の機器から延出されるケーブルの端部にそれぞれ接続され、接点数・接点配列等が異なるコネクタである。
【００１９】
本実施の形態においては、第１，第２のプラグコネクタ２０Ａ，２０Ｂが接続される第１，第２の機器は、互いに異なる２種類の内視鏡であり、形式や製品化の時期等が異なるものの、同じビデオプロセッサ３で信号処理が可能な機器である。例えば、内視鏡２は、新たに製品化された新型の内視鏡であり、この新型の内視鏡２に第２のプラグコネクタ２０Ｂが設けられ、第１のプラグコネクタ２０Ａは、形式或いは製品化の時期が内視鏡２より前の内視鏡（図示せず）に設けられるコネクタである場合、第２のプラグコネクタ２０Ｂは、処理すべき信号数の増大に伴い、第１のプラグコネクタ２０Ａよりも接点数の多いコネクタとして形成され、ビデオプロセッサ３は、これらの２種類の内視鏡の入出力信号を処理可能な機能を備えている。
【００２０】
本実施の形態においては、第２のプラグコネクタ２０Ｂは、第１のプラグコネクタ２０Ａよりも若干幅が広く、突起部を含めたプラグコネクタ２０Ａ，２０Ｂの厚み方向のサイズは略同じに形成されている。従って、図５及び図６に示すように、レセプタクルコネクタ５０の開口部５１の横方向の幅は、第２のプラグコネクタ２０Ｂの幅に合わせて設定され、開口部５１の縦方向のサイズは、プラグコネクタ２０Ａ，２０Ｂの双方の厚みに合わせて設定されているが、必ずしもこれに限定されるものではなく、第１のプラグコネクタ２０Ａと第２のプラグコネクタ２０Ｂとは同じ幅であっても良い。
【００２１】
尚、図６においては、（ａ）にビデオプロセッサ３のレセプタクル５０に挿入されたプラグコネクタ２０Ｂを正面方向（ケーブル側）から見た形状が示されており、（ｂ）には、ビデオプロセッサ３の側面方向（レセプタクル５０のロック機構部５２側）から見たプラグコネクタ２０Ｂの形状が示され、（ｃ）には、ビデオプロセッサ３の下面方向から見たプラグコネクタ２０Ｂの形状が示されている。
【００２２】
［プラグコネクタの構成］
詳細には、第１，第２のプラグコネクタ２０Ａ，２０Ｂは、図７〜図１３に示す外観形状と接点構造とを有している。本実施の形態においては、第１のプラグコネクタ２０Ａと第２のプラグコネクタ２０Ｂとは、接点数や接点配列を除いて外観的には略同じ形状の平形コネクタとして形成されている。これは、使い勝手を考慮した場合、コネクタの外観形状を大きく変えない方が望ましいためである。しかしながら、本発明は、これに限定されるものではなく、２種類のコネクタの外観形状が異なる場合にも適用可能である。
【００２３】
（第１のプラグコネクタ）
先ず、第１のプラグコネクタ２０Ａについて、説明する。第１のプラグコネクタ２０Ａは、図７及び図８に示すように、ケーブル（図示せず）が挿入される円筒状のスリーブ２１ａを一体的に備える平型の外装ケース２１と、この外装ケース２１の前端から突出する端子保持部２２とを備えている。外装ケース２１及び端子保持部２２のうち、少なくとも端子保持部２２は樹脂材等の絶縁部材から形成されている。
【００２４】
外装ケース２１は、平面状の２つの外面の一面側に、レセプタクルコネクタ５０へ挿入する際の向き確認用として「ＵＰ」マーク２３がスリーブ２１ａ側の部位に成形されている。この「ＵＰ」マーク２３の前方には、レセプタクルコネクタ５０のロック機構部５２に係合する細長の突起部２４が設けられている。
【００２５】
図８に示す４面図は、（ａ）に「ＵＰ」マーク２３が成形された面を正面として示し、（ｂ）に左側面図、（ｃ）に右側面図、（ｄ）に上面図を示している。また、「ＵＰ」マーク２３が形成された面と反対側の下面には、図９に示すように、レセプタクルコネクタ５０の下部内壁に設けられた溝部５５（図１４参照）に嵌合する細長の突起部２５ａ，２５ｂが所定の間隔で形成されている。
【００２６】
端子保持部２２は、外装ケース２１の前面にねじ２６を介して固定されるフランジ部２７と、このフランジ部２７から突出され、複数の細長の電気接点２８，２８，…が配置された突部２９とを備えている。複数の電気接点２８，２８，…は、端子保持部２２に一体的に埋め込まれ、突部２９の上下面に所定の間隔で露呈するように配置されている。各電気接点２８，２８，…は、突部２９の基部側から外装ケース２１内に端子が延出されて露呈され、外装ケース２１内で直接或いは基板等を介して対応するケーブル線に接続されると共に、一部の端子がフランジ部２７の上下面に設けられた接地用の導電部材３０に接続されている。
【００２７】
（第２のプラグコネクタ）
第２のプラグコネクタ２０Ｂは、図１０及び図１１に示すように、ケーブルが挿入される円筒状のスリーブ３１ａを一体的に備えた平型の外装ケース３１と、この外装ケース３１の前端から突出する端子保持部３２とを備えている。外装ケース３１及び端子保持部３２のうち、少なくとも端子保持部３２は樹脂材等の絶縁部材から形成されている。
【００２８】
外装ケース３１は、第１のプラグコネクタ２０Ａの外装ケース２１よりも幅広に形成されており、平面状の２つの外面の一面側に、レセプタクルコネクタ５０へ挿入する際の向き確認用として「ＵＰ」マーク３３がスリーブ３１ａ側の部位に成形されている。この「ＵＰ」マーク３３の前方には、レセプタクルコネクタ５０のロック機構部５２に係合する細長の突起部３４が設けられている。
【００２９】
図１１に示す４面図は、（ａ）に「ＵＰ」マーク３３が成形された面を正面として示し、（ｂ）に左側面図、（ｃ）に右側面図、（ｄ）に上面図を示している。尚、「ＵＰ」マーク３３が形成された面と反対側の下面には、レセプタクルコネクタ５０の下部内壁に設けられた溝部５５（図１４参照）に嵌合する細長の突起部３５が形成されている。
【００３０】
尚、本実施の形態においては、レセプタクル５０の溝部５５に嵌合する第１のプラグコネクタ２０Ａの突起部２５ａ，２５ｂと、レセプタクル５０の溝部５５に嵌合する第２のプラグコネクタ２０Ｂの突起部３５とは異なる形状となっているが、レセプタクル５０の溝部５５に対する嵌合幅が同じ幅であれば良く、同じ形状であっても良い。
【００３１】
端子保持部３２は、外装ケース３１の前面にねじ３６を介して固定され、前端側に凹部３７を介して一対の突部３８ａ，３８ｂが突出されている。各突部３８ａ，３８ｂは、「ＵＰ」マーク３３側の面と反対側の突起部３５側の面とに略平行に形成され、それぞれの面に複数の電気接点３９，３９，…が所定の間隔で配置されている。
【００３２】
電気接点３９，３９，…は、端子保持部３２に一体的に埋め込まれ、複数の端子が突部３８ａ，３８ｂの基部側から外装ケース３１内に延出されて露呈され、外装ケース３１内で直接或いは基板等を介して対応する信号線と接続されると共に、一部の端子が端子保持部３２基部側に設けられた接地用の導電部材４１に接続されている。この接地用の導電部材４１は、信号ラインの増加に対応して端子保持部３２基部の上下面及び左右側面の４カ所に設けられ、接地性能の強化が図られている。
【００３３】
一対の突部３８ａ，３８ｂは、第１のプラグコネクタ２０Ａの突部２９を収容可能な溝状の空間を有し、突部２９を挟むように設定されている。すなわち、第１のプラグコネクタ２０Ａの電気接点２８，２８，…を第１の接点として、この第１の接点が配置される突部２９を第１の突部、第２のプラグコネクタ２０Ｂの電気接点３９，３９，…を第２の接点として、この第２の接点が配置される一対の突部３８ａ，３８ｂを第２の突部とするとき、一対の第２の突部は、第１の突部を挟むように設けられ、後述するように、一つのレセプタクルコネクタ５０内で、第１，第２の接点に接触する２種類の受側接点を最小限のスペースで配置できるように構成されている。
【００３４】
図１２及び図１３に示すように、端子保持部３２から突出される突部３８ａ，３８ｂは、幅方向の両側の部位が基部側の導電部材４１が配設される面から若干段差をもって突出するように形成され、この両側の部位から所定の段差をもって基部側よりも低くなる位置に、電気接点３９，３９，…を配置した接点配置面４２がそれぞれ形成されている。すなわち、突部３８ａ，３８ｂの各接点配置面４２は、両側を土手状の段部４３によって囲まれるように形成されている。尚、この土手状の段部４３は、接点配置面４２に対して、前方にも若干突出されている。
【００３５】
更に、電気接点３９，３９，…は、接点配置面４２に対して若干低い位置に接点面が露呈するように埋設され、個々の接点が壁を介して配置される接点構造を有している。また、端子保持部３２の基部側の導電部材４１が配設される部位と接点配置面４２との間には、溝状の凹部４５が設けられている。
【００３６】
これにより、後述するレセプタクルコネクタ５０のワイパ機構によって接点配置面４２に付着する水分を２段階で払拭する際に、最初の払拭段階での接点配置面４２から水分が側方に流出して反対側の接点配置面４２に回り込むといったように、払拭した水分が他の部位へ移動することを防止し、接点配置面４２に残留した僅かな量の水分を次の段階で払拭するとき、払拭した少量の水分を、接点配置面４２の挿入方向後方に形成された溝状の凹部４５内に貯めて接点部近傍から逃がすことができ、他の導電部位に水分が付着することを防止して電解腐蝕の発生を未然に回避することができる。
【００３７】
また、電気接点３９，３９，…の接点面を、土手状の段部４３で囲まれた接点配置面４２よりも低い位置として、個々の接点を壁を介して隔てて窪んだ位置に配置することにより、接点間のブリッジによる導通を防止すると共に、プラグコネクタを落としたり、他の部位にぶつけるといった物理的な外力から接点面を保護し、接点面に傷が付く等の機械的な損傷を回避することができる。
【００３８】
［レセプタクルコネクタの構成］
次に、以上の２種類のプラグコネクタ２０Ａ，２０Ｂを選択的に接続可能なレセプタクルコネクタ５０の構成について説明する。
【００３９】
図１４，図１５に示すように、レセプタクルコネクタ５０は、樹脂材料等の絶縁部材で形成された箱状のハウジング５４を有し、このハウジング５４の前面側に、プラグコネクタ２０Ａ，２０Ｂを挿入可能な開口部５１が開口されている。開口部５１の上部にはロック機構部５２のレバー５２ａが配設され、開口部５１の前面から若干奥まった位置に蓋部材５３が配設されている。
【００４０】
また、ハウジング５４の開口部５１内においてロック機構部５２と反対側となる下部内壁には、第１のプラグコネクタ２０Ａの突起部２５ａ，２５ｂ或いは第２のプラグコネクタ２０Ｂの突起部３５が嵌合される溝部５５が設けられている。溝部５５は、レセプタクルコネクタ５０を介して接続を許容する機器を選択するために設けられ、接続を許容する機器に備えるプラグコネクタ側の突起部形状を考慮し、溝形状（嵌合形状）や溝数等が適宜設定される。
【００４１】
図１５に示すレセプタクルコネクタ５０の４面図は、（ａ）に開口部５１側を正面として示し、（ｂ）に左側面図、（ｃ）に右側面図、（ｄ）に上面図を示しており、ハウジング５４の後部両側面には、ハウジング５４を機器に取り付けて固定するためのフランジ部５４ａが設けられ、このフランジ部５４ａが設けられる部位の上下左右の側壁面が導電性の薄板材料からなるノイズ混入防止用のシールド部材５６で覆われている。
【００４２】
シールド部材５６のハウジング５４上面を覆う面には、両端部に雌ねじ５６ａが形成されており、この雌ねじ５６ａを用いてシールド部材５６に接地用の部材を直接取り付け可能にすると共に、フランジ部５４ａを介したハウジング５４の取り付け方向と同一方向の取り付け作業として、組み付け作業性の向上を図っている。
【００４３】
また、シールド部材５６は、上下左右の各面の所定位置で打ち抜き加工され、櫛歯状のフィンガー５６ｂが形成されている。このフィンガー５６ｂは、ハウジング５４内部に先端側が延出されるように折り曲げられ、第１のプラグコネクタ２０Ａ或いは第２のコネクタ２０Ｂが挿入・嵌合されたとき、第１のプラグコネクタ２０Ａに設けられた上下面の接地用の導電部材３０、第２のプラグコネクタ２０Ｂに設けられた上下左右面の接地用の導電部材４１に弾性的に接触するように構成されている。
【００４４】
また、ハウジング５４の背面側には、第１，第２のプラグコネクタ２０Ａ，２０Ｂの各電気接点と接触・導通する複数の受側接点がハウジング５４に一体的に埋め込まれ、各受側接点の端子がハウジング５４の背面から後方に延出されている。この受側接点は、図１６，図１７に示すように、上下４列に配置され、内側の２列の受側接点５７，５７，…を第１のプラグコネクタ２０Ａの電気接点２８，２８，…に接触・導通する第１の受側接点として、この第１の受側接点の上下に、第２のプラグコネクタ２０Ｂの電気接点３９，３９，…に接触・導通する受側接点５８，５８，…が第２の受側接点として配置されている。
【００４５】
第１の受側接点５７，５７，…，第２の受側接点５８，５８，…には、図１７中に破線で示すような基板８０が接続され、この基板８０を介して機器（本実施の形態においては、ビデオプロセッサ３）内の各回路部に接続される。この場合、端子数が多いことから、全ての受側接点の端子の突出長さが同様であると、基板８０の装着や端子との半田付け作業において、作業性が損なわれる虞がある。
【００４６】
このため、図１７に明示するように、第１の受側接点５７，５７，…は、上下に配置される第２の受側接点５８，５８，…よりも端子の突出量が長く設定されている。これにより、基板８０の取り付け作業時に、先ず、端子長さが長い内側の受側接点５７，５７，…を基板８０のホールに挿入し、次に、外側の第２の受側接点５８，５８，…を基板８０のホールに挿入することで、基板８０の装着作業を確実且つ容易なものとすることができる。また、基板８０装着後の半田付け作業においても、外側の端長さを相対的に短くすることで、相対的に作業性の悪い内側の端子の半田付け作業性を改善することができる。尚、ハウジング５４の背面側には、基板８０装着時の基準ガイドとなるボス５９が立設されている。
【００４７】
これらの第１の受側接点５７，５７，…，第２の受側接点５８，５８，…は、ハウジング５４内部では、図１７に示すような接点構造として配設されている。すなわち、ハウジング５４の開口部５１の奥部には、第１のプラグコネクタ２０Ａの突部２９が嵌合可能な第１の溝部６０と、この第１の溝部６０を囲むように上下に配設され、第２のプラグコネクタ２０Ｂの一対の突部３８ａ，３８ｂが嵌合可能な一対の第２の溝部６１ａ，６１ｂとが形成されている。
【００４８】
第１の溝部６０は、ハウジング５４内部の背面を構成する壁部５４ｂからハウジング５４の幅方向に細長に突出する突起部６２の中央に設けられている。この突起部６２には、第１の受側接点５７，５７，…が上下２列に埋設され、受側接点５７，５７，…の先端部が第１の溝部６０の上下内壁面に開口された開口部から露呈されている。これにより、第１のプラグコネクタ２０Ａの突部２９が第１の溝部６０に嵌合されたとき、第１のプラグコネクタ２０Ａの電気接点２８，２８，…に、レセプタクル５０の受側接点５７，５７，…が所定の付勢力を持って機械的に接触し、電気的な導通が可能となる。
【００４９】
また、第２の溝部６１ａ，６１ｂは、それぞれ、突起部６２の上下の側面、ハウジング５４奥部の背面を構成する壁部５４ｂ、ハウジング５４の上下の壁面を構成する壁部５４ｃ，５４ｄによって形成されている。第２の受側接点５８，５８，…のうち、上側の受側接点は、先端部が溝部６１ａの上部内壁面から露呈され、下側の受側接点は、先端部が溝部６１ｂの下部内壁面から露呈されている。
【００５０】
これにより、第２のプラグコネクタ２０Ｂの一対の突部３８ａ，３８ｂが第２の溝部６１ａ，６１ｂに嵌合されたとき、第２のプラグコネクタ２０Ｂの電気接点３９，３９，…にレセプタクル５０の受側接点５８，５８，…が所定の付勢力を持って機械的に接触し、電気的な導通が可能となる。
【００５１】
また、ハウジング５４の開口部５１内には、主として第２のプラグコネクタ２０Ｂの接点部に付着した水分を払拭するワイパ機構が備えられている。このワイパ機構は、第１の溝部６０及び第２の溝部６１ａ，６１ｂの前方に設けられた第１のワイパとしてのワイパ部材６５と、開口部５１の入口側に設けられた第２のワイパとしての蓋部材５３とを主として構成されている。
【００５２】
蓋部材５３は、開口部５１を閉塞可能な幅及び高さを有してハウジング５４に回動自在に支持されており、第２のプラグコネクタ２０Ｂが挿入されたとき、段部４３で囲まれた接点配置面４２に追従して回動し、接点配置面４２に付着した水分を払拭する段状の払拭部５３ａが設けられている。すなわち、蓋部材５３は、レセプタクルコネクタ５０の未使用時に開口部５１からの異物の侵入を防止する機能に加え、第１のワイパとしてのワイパ部材６５に第２のプラグコネクタ２０Ｂが当接する前に、第２のプラグコネクタ２０Ｂに付着している水分をおおまかに払拭する補助的な第２のワイパとしても機能する。
【００５３】
尚、この補助的な第２のワイパとしての蓋部材５３は、第１のプラグコネクタ２０Ａに対しても有効であり、第１のプラグコネクタ２０Ａに付着している水分をおおまかに払拭することも可能である。
【００５４】
一方、第１の溝部６０及び第２の溝部６１ａ，６１ｂの前方に設けられたワイパ部材６５は、蓋部材５３による払拭後に残存する僅かな水分を更に払拭するために設けられ、電気接点周辺に付着した水分を払拭して電気接点の電解腐蝕を防止する上で主となる第１のワイパとして機能する。このワイパ部材６５は、例えば樹脂材にシリコンゴム等を一体成形する等して板状に形成されており、ハウジング５４の上下の壁部５４ｃ，壁部５４ｄ内に、それぞれ、プラグコネクタ２０Ｂの挿入方向と略直交する方向に進退自在に配置され、板バネ等からなる弾性部材６６により第２のプラグコネクタ２０Ｂの外周面に向けて付勢されている。
【００５５】
図１８に示すように、ハウジング５４の開口部５１側から見たとき、ワイパ部材６５は、第２のプラグコネクタ２０Ｂの段部４３で囲まれた接点配置面４２を少なくとも払拭可能な領域として含むように略台形状に形成されている。また、ワイパ部材６５は、図１９に示すように、弾性部材６６によって両端部をブリッジ状に懸架され、各接点配置面４２に対向して進退自在に取り付けられる。これにより、第２のプラグコネクタ２０Ｂの突部３８ａ，３８ｂを溝部６１ａ，６１ｂに嵌合する際に、ワイパ部材６５の先端側が接点配置面４２に密着し、残留する水分が僅かであっても有効に払拭することができる。
【００５６】
尚、図１８では、第１の溝部６０の第１の受側接点５７，５７，…が突起部６２の端面で囲繞されるように配置される様子も示しており、受側接点５７，５７，…は、指や異物に対して容易に接触しないように構成されていることがわかる。この突起部６２の上下に形成される第２の溝部６１ａ，６１ｂの第２の受側接点５８，５８，…についても、同様である。
【００５７】
［レセプタクルコネクタとプラグコネクタとの接続］
次に、以上の構成を有する第１，第２のプラグコネクタ２０Ａ，２０Ｂ、レセプタクルコネクタ５０の接続について説明する。尚、以下の説明では、便宜上、プラグコネクタ２０Ａ，２０Ｂの「ＵＰ」マーク２３，３３を天側にして接続するものとするが、これに限定されるものではない。
【００５８】
（第１のプラグコネクタの接続）
先ず、第１のプラグコネクタ２０Ａをレセプタクルコネクタ５０に接続する場合について、図２０〜図２２を用いて説明する。
【００５９】
先ず、図２０に示すように、作業者が第１のプラグコネクタ２０Ａを略水平に把持し、レセプタクルコネクタ５０の開口部５１前方に持ってくる。次に、図２１に示すように、第１のプラグコネクタ２０Ａを略水平に保ったままハウジング５４内に挿入すると、レセプタクルコネクタ５０の蓋部材５３が第１のプラグコネクタ２０Ａの端子保持部２２のフランジ部２７に当接し、蓋部材５３が回動する。
【００６０】
更に、第１のプラグコネクタ２０Ａをハウジング５４内へ挿入し続けると、図２２に示すように、第１のプラグコネクタ２０Ａ先端の突部２９がハウジング５４の奥部に設けられた溝部６０に所定の抵抗感を持って嵌合される。尚、このとき、第１のプラグコネクタ２０Ａの「ＵＰ」マーク２３側の突起部２４がロック機構部５２に係合し、第１のプラグコネクタ２０Ａがレセプタクルコネクタ５０にロックされる。
【００６１】
第１のプラグコネクタ２０Ａがレセプタクルコネクタ５０に嵌合された状態では、ハウジング５４の外周に設けられたシールド部材５６の上下のフィンガー５６ｂの先端が第１のプラグコネクタ２０Ａのフランジ部２７の上下面に設けられた接地用の導電部材３０に接触して付勢すると共に、溝部６０内に露呈する受側接点５７，５７，…が突部２９に配置された電気接点２８，２８，…に接触して所定の付勢力で押圧する。これにより、第１のプラグコネクタ２０Ａの電気接点２８，２８，…とレセプタクルコネクタ５０の受側接点５７，５７，…との間に所定の接点圧が確保され、確実な電気的導通が可能となる。
【００６２】
（第２のプラグコネクタの接続）
次に、第２のプラグコネクタ２０Ｂをレセプタクルコネクタ５０に接続する場合について、図２３〜図２５を用いて説明する。
【００６３】
図２３に示すように、作業者が第２のプラグコネクタ２０Ｂを略水平に把持し、レセプタクルコネクタ５０の開口部５１前方に持ってくる。次に、図２４に示すように、第２のプラグコネクタ２０Ｂを略水平に保ったままハウジング５４内に挿入すると、レセプタクルコネクタ５０の蓋部材５３が第２のプラグコネクタ２０Ｂの端子保持部３２から突出される一対の突部３８ａ，３８ｂのうちの上側の突部に設けられた電気接点３９の接点配置面４２に追従して回動し、電気接点３９周辺に水分が付着している場合、その水分を払拭する。
【００６４】
更に、第２のプラグコネクタ２０Ｂをハウジング５４内へ挿入し続けると、一対の突部３８ａ，３８ｂの各接点配置面４２に上下のワイパ部材６５の先端側が接触し、接点配置面４２に密着する。各接点配置面４２に蓋部材５３によって払拭しきれずに少量の水分が残留している場合、第２のプラグコネクタ２０Ｂを挿入方向に移動させ続けると、接点配置面４２に密着したワイパ部材６５によって残留水分が払拭され、図２５に示すように、払拭された水分が端子保持部３２の基部側に設けられた溝状の凹部４５内に貯められると共に、第２のプラグコネクタ２０Ｂの突部３８ａ，３８ｂが第１の溝部６０の上下に設けられた第２の溝部６１ａ，６１ｂに所定の抵抗感を持って嵌合される。同時に、第２のプラグコネクタ２０Ｂの「ＵＰ」マーク３３側の突起部３４がロック機構部５２に係合し、第２のプラグコネクタ２０Ｂがレセプタクルコネクタ５０にロックされる。
【００６５】
このとき、ワイパ部材６５は、弾性部材６６によって両端部をブリッジ状に懸架されて各接点配置面４２を付勢するため、第２のプラグコネクタ２０Ｂが若干傾いていても、その傾きに倣って接点配置面４２を押圧することができる。その結果、ワイパ部材６５の先端側が接点配置面４２に良好に密着しながら払拭動作を行うことができ、一般的な回動動作によるワイパに比較して、水分の拭き残しが発生する可能性を大幅に低減することができる。
【００６６】
第２のプラグコネクタ２０Ｂがレセプタクルコネクタ５０に嵌合された状態では、ハウジング５４の外周に設けられたシールド部材５６の上下左右のフィンガー５６ｂの先端が第２のプラグコネクタ２０Ｂの端子保持部３２の基部側の上下左右に設けられた接地用の導電部材４１に接触して付勢すると共に、溝部６１ａ，６１ｂ内に露呈する受側接点５８，５８，…が突部３８ａ，３８ｂに配置された電気接点３９，３９，…に接触して所定の付勢力で押圧する。これにより、第２のプラグコネクタ２０Ｂの電気接点３９，３９，…とレセプタクルコネクタ５０の受側接点５８，５８，…との間に所定の接点圧が確保され、確実な電気的導通が可能となる。
【００６７】
以上のように本実施の形態においては、プラグコネクタ２０Ａ，２０Ｂが接続されるレセプタクルコネクタ５０に、プラグコネクタの挿入方向と略直交する方向に進退自在に設けられたワイパ部材６５を備えているため、接点部周辺に付着した液体分を拭き残すことなく確実に排除することができ、接点の電解腐蝕を防止して接触信頼性を向上することができる。
【００６８】
しかも、ワイパ部材６５を第１のワイパとして、レセプタクルコネクタ５０の開口部５１を開閉する蓋部材５３に、プラグコネクタの接点部周辺に付着した液体分を粗方除去する払拭部５３ａを第２のワイパとして設けているため、ワイパ部材６５による払拭効果をより高めることができる。
【図面の簡単な説明】
【００６９】
【図１】本発明が適用される内視鏡装置の全体構成図
【図２】ビデオプロセッサに設けたレセプタクルコネクタを正面側及び側面側から見た２面図
【図３】ビデオプロセッサのレセプタクルコネクタに接続される２種類のプラグコネクタを示す斜視図
【図４】ビデオプロセッサのレセプタクルコネクタに接続される２種類のプラグコネクタを示す平面図
【図５】ビデオプロセッサのレセプタクルコネクタにプラグコネクタが接続された状態を示す斜視図
【図６】ビデオプロセッサのレセプタクルコネクタにプラグコネクタが接続された状態を３方向から見た３面図
【図７】第１のプラグコネクタの外観を示す斜視図
【図８】第１のプラグコネクタの正面と左右側面と上面とを示す４面図
【図９】第１のプラグコネクタの下面図
【図１０】第２のプラグコネクタの外観を示す斜視図
【図１１】第２のプラグコネクタの正面と左右側面と上面とを示す４面図
【図１２】第２のプラグコネクタの端子保持部を示す斜視図
【図１３】第２のプラグコネクタの端子保持部の接点面を示す説明図
【図１４】レセプタクルコネクタの外観を示す斜視図
【図１５】レセプタクルコネクタの正面と左右側面と上面とを示す４面図
【図１６】レセプタクルコネクタの背面図
【図１７】レセプタクルコネクタの受側接点構造を示す断面図
【図１８】レセプタクルコネクタのワイパ部材を示す説明図
【図１９】ワイパ部材の支持構造を示す説明図
【図２０】第１のプラグコネクタのレセプタクルコネクタへの接続動作を示す説明図
【図２１】第１のプラグコネクタがレセプタクルコネクタに途中まで挿入された状態を示す説明図
【図２２】第１のプラグコネクタがレセプタクルコネクタに嵌合された状態を示す説明図
【図２３】第２のプラグコネクタのレセプタクルコネクタへの接続動作を示す説明図
【図２４】第２のプラグコネクタがレセプタクルコネクタに途中まで挿入された状態を示す説明図
【図２５】第２のプラグコネクタがレセプタクルコネクタに嵌合された状態を示す説明図
【符号の説明】
【００７０】
２０Ｂ  プラグコネクタ
３９  電気接点
４２  接点配置面
４３  段部
４５  凹部
５０  レセプタクルコネクタ
５１  開口部
５３  蓋部材
５３ａ  払拭部
６５  ワイパ部材
６６  弾性部材
【図１】
0005000549.tif 000002
【図２】
0005000549.tif 000003
【図３】
0005000549.tif 000004
【図４】
0005000549.tif 000005
【図５】
0005000549.tif 000006
【図６】
0005000549.tif 000007
【図７】
0005000549.tif 000008
【図８】
0005000549.tif 000009
【図９】
0005000549.tif 000010
【図１０】
0005000549.tif 000011
【図１１】
0005000549.tif 000012
【図１２】
0005000549.tif 000013
【図１３】
0005000549.tif 000014
【図１４】
0005000549.tif 000015
【図１５】
0005000549.tif 000016
【図１６】
0005000549.tif 000017
【図１７】
0005000549.tif 000018
【図１８】
0005000549.tif 000019
【図１９】
0005000549.tif 000020
【図２０】
0005000549.tif 000021
【図２１】
0005000549.tif 000022
【図２２】
0005000549.tif 000023
【図２３】
0005000549.tif 000024
【図２４】
0005000549.tif 000025
【図２５】
0005000549.tif 000026